(57)【要約】  【課題】  フェーダ装置の回路構成を簡素化する。  【解決手段】  モータ２０がフェーダ１８を動かす。モータドライバ２２はモータ２０を駆動する。スイッチ回路２０は、モータドライバ２２の電圧制御端子に接続され、複数段階の制御電圧を選択的にモータドライバ２２に供給するように切替動作する。フェーダＣＰＵ１４は、モータドライバ２２およびスイッチ回路２６を制御する。フェーダＣＰＵ１４は、スイッチ回路２６を制御して、モータドライバ２２に供給される制御電圧を段階的に変化させる。モータドライバ２２とスイッチ回路２６の間に積分回路が設けられている。【選択図】  図１
2005278046.tif 000002
【特許請求の範囲】
【請求項１】
フェーダと、
前記フェーダを動かすモータと、
前記モータを駆動するモータドライバと、
前記モータドライバの電圧制御端子に接続され、複数段階の制御電圧を選択的に前記モータドライバに供給するように切替動作するスイッチ回路と、
前記モータドライバおよび前記スイッチ回路を制御する制御手段と、
を備え、前記制御手段が、前記スイッチ回路を制御して、前記モータドライバに供給される制御電圧を段階的に変化させることを特徴とするフェーダ装置。
【請求項２】
前記モータドライバと前記スイッチ回路の間に積分回路が接続されたことを特徴とする請求項１に記載のフェーダ装置。
【請求項３】
前記スイッチ回路に入力される複数段階の制御電圧の電圧間隔が、前記複数段階の制御電圧の中で小さい制御電圧同士の電圧間隔が密になるように不均等に設定されていることを特徴とする請求項１または２に記載のフェーダ装置。
【請求項４】
前記制御手段は、フェーダの移動目標を目標更新周期ごとに更新する時系列的位置制御状態において、各々の目標更新時点から、前記目標更新周期以上の長さに設定された反転抑制期間は、モータ駆動電圧の正逆切替えを抑制するように構成されたことを特徴とする請求項１ないし３のいずれかに記載のフェーダ装置。
【請求項５】
前記制御手段は、フェーダ位置のフィードバック制御におけるモータ駆動電圧の演算結果が反転するときに、所定回数分の制御周期の間はモータへの反転電圧の出力を抑制するように構成されたことを特徴とする請求項１ないし４のいずれかに記載のフェーダ装置。
【発明の詳細な説明】
【技術分野】
【０００１】
本発明は、フェーダを移動させるモータを備えたフェーダ装置に関する。
【背景技術】
【０００２】
従来、モータを備えたフェーダ装置が知られており、この種のフェーダ装置は、モータを使って自動的にフェーダを移動させることができる。このようなフェーダ装置は、例えば、ムービングフェーダといわれる音楽用のミキサとして実用化されている。
【０００３】
従来のフェーダ装置は、目標位置へフェーダを動かすために、フィードバック制御を行っている。現在のフェーダ位置が電圧に変換され、ＡＤコンバータを介してＣＰＵに読み込まれる。そして、ＣＰＵが、ＰＩＤ制御などのフィードバック演算を行って、演算結果としてモータへの出力電圧値を求める。そして、出力電圧値がＤＡコンバータへ出力され、アナログ信号に変換され、このアナログ信号がモータドライバの電圧制御端子Ｖｒｅｆに入力され、モータドライバが制御信号に従ってモータを駆動し、フェーダが目標位置へと移動する（例えば、特許文献１参照）。
【特許文献１】特開平５−１７６３９９号公報（第６−７ページ、図５）
【発明の開示】
【発明が解決しようとする課題】
【０００４】
しかしながら、従来のフェーダ装置は、上記のように、ＣＰＵとモータドライバの間にＤＡコンバータを備えており、ＤＡコンバータがある故に回路が複雑である。さらに、フェーダ装置は周知のように多数のフェーダを備えているので、そのためＤＡコンバータの数も多くなり、複雑さが増長している。
【０００５】
本発明は、上記課題を解決するためになされたものであり、その目的は、回路構成が簡素なフェーダ装置を提供することにある。
【課題を解決するための手段】
【０００６】
本発明のフェーダ装置は、フェーダと、前記フェーダを動かすモータと、前記モータを駆動するモータドライバと、前記モータドライバの電圧制御端子に接続され、複数段階の制御電圧を選択的に前記モータドライバに供給するように切替動作するスイッチ回路と、前記モータドライバおよび前記スイッチ回路を制御する制御手段とを備え、前記制御手段が、前記スイッチ回路を制御して、前記モータドライバに供給される制御電圧を段階的に変化させる。
【０００７】
この構成により、スイッチ回路の切替動作によってモータドライバへ供給する制御電圧を変化させるので、モータドライバの手前のＤＡコンバータを廃止することができ、これにより、回路構成を簡素化できる。
【０００８】
また、本発明のフェーダ装置では、前記モータドライバと前記スイッチ回路の間に積分回路が接続されている。
【０００９】
この構成により、制御電圧信号の電圧パルス波形をなまらせることができ、これにより、フェーダ移動時の動作音を低減できる。
【００１０】
また、本発明のフェーダ装置では、前記スイッチ回路に入力される複数段階の制御電圧の電圧間隔が、前記複数段階の制御電圧の中で小さい制御電圧同士の電圧間隔が密になるように不均等に設定されている。
【００１１】
この構成により、フェーダの移動速度が小さいときに、スイッチ回路のスイッチングに伴う電圧変化を小さくでき、フェーダの動作音を低減できる。そして、フェーダの移動速度が小さいときは、フェーダからの動作音が目立ちやすいときでもある。したがって、上記のように制御電圧の段差を不均等に設定するといった簡単な構成で、フェーダの動作音を効果的に低減できる。
【００１２】
また、本発明のフェーダ装置では、前記制御手段は、フェーダの移動目標を目標更新周期ごとに更新する時系列的位置制御状態において、各々の目標更新時点から、前記目標更新周期以上の長さに設定された反転抑制期間は、モータ駆動電圧の正逆切替えを抑制するように構成されている。
【００１３】
この構成により、それぞれの目標更新周期の終わりに移動目標の付近でモータ駆動電圧の正転と逆転が繰り返す現象を抑制でき、これにより、フェーダの動作音を低減できる。反転抑制期間を設けるといった簡単な制御構成でもってフェーダ動作音を効果的に低減できる。
【００１４】
また、本発明のフェーダ装置では、前記制御手段は、フェーダ位置のフィードバック制御におけるモータ駆動電圧の演算結果が反転するときに、所定回数分の制御周期の間はモータへの反転電圧の出力を抑制するように構成されている。所定回数は、典型的には１回である。
【００１５】
この構成により、１制御周期程度の短期間だけ反転する駆動電圧が除去される。駆動電圧の反転は、モータ動作音の原因になり、動作音はフィードバック制御の目標位置付近で大きくなる。そして、目標位置付近でのフィードバック制御においては、上記のような短期間の反転の頻度が高い。さらに、短期間の反転電圧を除去しても、フィードバック制御の位置精度への影響は小さい。したがって、上記のような出力抑制制御により、フェーダの動作音を効果的に低減できる。しかも、例えばモータドライバへのモータ回転方向の制御信号を変換するといった簡単な制御構成でフェーダ動作音を低減できる。
【発明の効果】
【００１６】
本発明は、上記のようにスイッチ回路とその制御手段を設け、スイッチ回路の切替動作によってモータドライバへ供給する制御電圧を変化させるので、これにより、回路構成を簡素化できるという効果を有するフェーダ装置を提供することができるものである。
【発明を実施するための最良の形態】
【００１７】
以下、本発明の実施の形態のフェーダ装置について、図面を用いて説明する。
【００１８】
図１は、本発明の実施の形態のフェーダ装置を示している。
【００１９】
図１において、フェーダ装置１０は、マスタＣＰＵ１２と、マスタＣＰＵ１２により制御される複数のフェーダＣＰＵ１４とを備えている。そして、各フェーダＣＰＵ１４によりフェーダ制御ブロック１６が制御される。さらに、各フェーダ制御ブロック１６は、複数のフェーダ１８を備えており、それら複数のフェーダ１８がフェーダＣＰＵ１４により制御される。
【００２０】
以下、一つのフェーダ１８を制御するための構成に着目して、本実施の形態のフェーダ装置１０を説明する。ただし、全部のフェーダ１８に関して、同様の構成が備えられている。
【００２１】
図１に示すように、フェーダ１８はモータ２０に接続されており、モータ２０はモータドライバ２２に接続されている。フェーダ１８は、スライド抵抗器を有しており、スライド抵抗器の一端が電圧端子に接続され、他端が接地されている。そして、スライド端子が移動可能に設けられており、モータ２０によって移動される。スライド端子の位置に応じた比率でもって、電圧端子の電圧が分圧され、分圧された電圧がスライド端子から出力される。また、フェーダ１８は、図示されない操作盤上のつまみと組み合わされている。フェーダ１８が動くと、操作盤上のつまみも移動する。
【００２２】
モータドライバ２２の電圧制御端子（基準電圧端子）Ｖｒｅｆは、積分回路２４を介してスイッチ回路２６に接続されている。スイッチ回路２６は、例えば、アナログマルチプレクサで構成されている。スイッチ回路２６は、複数の電圧源と接続され、これら電圧源から複数段階の制御電圧（基準電圧）Ｖ１、Ｖ２、Ｖ３、Ｖ４が入力される。制御電圧Ｖ１、Ｖ２、Ｖ３、Ｖ４の大きさは異なって設定されている。
【００２３】
スイッチ回路２６は、フェーダＣＰＵ１４によって制御される。そして、フェーダＣＰＵ１４は、スイッチ回路２６に切替動作を行わせることにより、モータドライバ２２に供給される制御電圧を段階的に変化させる。制御電圧の信号はパルス状である。モータドライバ２２は、制御電圧に応じた駆動電圧（出力電圧）をモータ２０に供給する。したがって、スイッチ回路２６の切替動作によって、モータ２０の加速度を可変制御することができる。
【００２４】
また、モータドライバ２２には、フェーダＣＰＵ１４からモータ回転方向に関する制御信号が入力される。この制御信号は、正転、逆転、慣性回転、ブレーキ制御のいずれかをモータドライバ２２に指示する。正転と逆転では、反対向きの電圧がモータ２０に印加される。慣性回転が指示されたときは、モータドライバ２２は駆動電圧を０にする。
【００２５】
また、フェーダ１８はＡＤコンバータ２８に接続されており、ＡＤコンバータ２８がフェーダＣＰＵ１４に接続されている。
【００２６】
次に、本実施の形態のフェーダ装置１０の動作を説明する。ここでも、１つのフェーダ１８に関する構成の動作を説明するが、すべてのフェーダ１８に関する動作が同様である。
【００２７】
フェーダ１８の位置の情報は、電圧信号に変換され、そして、ＡＤコンバータ２８でデジタル信号に変換され、フェーダＣＰＵ１４に入力される。フェーダＣＰＵ１４は、フェーダの位置情報に基づいて、ＰＩＤ制御のフィードバック演算を行う。
【００２８】
また、フェーダ位置情報は所定の時間間隔でマスタＣＰＵ１２に供給される。マスタＣＰＵ１２は、制御下にある各フェーダ１８の目標位置を決定する。決定された目標値が、移動命令のかたちで、所定の時間間隔でフェーダＣＰＵ１４に供給される。フェーダＣＰＵ１４は、マスタＣＰＵ１２の移動命令に示される目標位置を達成するように、上述のフィードバック演算を行う。
【００２９】
フェーダＣＰＵ１４のフィードバック演算では、モータ駆動電圧が演算され、モータドライバ２２に供給すべき制御電圧が求められる。フェーダＣＰＵ１４は、求めた制御電圧がモータドライバ２２に供給されるように、スイッチ回路２６を制御する。制御電圧を切り替えるときは、スイッチ回路２６を制御して、接続される電源ラインを変更する。フィードバック制御に従い、制御電圧が段階的に小さくなるように、スイッチ回路２６が制御される。制御電圧は、積分回路２４を通ってモータドライバ２２に供給される。
【００３０】
さらに、フィードバック演算では、駆動電圧の向きが求められる。そして、フェーダＣＰＵ１４は、フィードバック演算に従った制御信号をモータドライバ２２に送る。正転、逆転、慣性運転（駆動電圧０）、ブレーキの制御信号が送られる。
【００３１】
モータドライバ２２は、電圧制御端子Ｖｒｅｆへ入力される制御電圧に応じた駆動電圧であって、フェーダＣＰＵ１４から指示される制御信号に従った向きの駆動電圧をモータ２０に供給する。パルス電圧制御が行われる。モータ２０は駆動電圧に従って回転し、フェーダ１８を移動させる。
【００３２】
以上に説明したように、本実施の形態のフェーダ装置１０によれば、スイッチ回路２６の切替動作によってモータドライバ２２へ供給する制御電圧を変化させるので、モータドライバの手前のＤＡコンバータを廃止することができ、これにより、回路構成を簡素化できる。
【００３３】
なお、本実施の形態では、制御電圧が４段階（Ｖ１〜Ｖ４）で変化した。しかし、制御電圧の切替段数は４段階に限定されず、例えば、５段階以上でもよい。
【００３４】
次に、本実施の形態におけるフェーダ１８の動作音を低減するための各種構成について説明する。
【００３５】
本実施の形態では、ＤＡコンバータが廃止され、スイッチ回路２６が設けられている。ＤＡコンバータを使用する場合は、電圧制御端子Ｖｒｅｆへ供給される制御電圧が無段階で変化する。これに対して、本実施の形態では、スイッチ切替の都度、制御電圧が急激に変化し、加速度の不連続が生じる。これにより、フェーダ摺動部のあそびやフェーダ駆動用のベルト、モータなどから発するパルス打撃音が大きくなり、品位の問題が生じる可能性がある。そこで、以下に説明するように、本実施の形態では、フェーダ１８の動作音を低減し、静粛にするための構成が設けられている。
【００３６】
まず、本実施の形態では、図１に示したように、モータドライバ２２とスイッチ回路２６の間に積分回路２４が設けられている。
【００３７】
図２は、積分回路２４の例を示している。図示のように、積分回路２４は抵抗４０とコンデンサ４２を有する。抵抗４０の両端がモータドライバ２２およびスイッチ回路２６に接続されている。そして、モータドライバ２２側にて、抵抗４０の一端がコンデンサ４２を介して接地されている。積分回路定数としては、例えば、抵抗４０の抵抗値Ｒが１ｋΩであり、コンデンサ４２の容量Ｃが０．１μＦである。
【００３８】
このような積分回路２４を設けたことにより、制御電圧信号のパルス波形がなまされるので、高調波が抑えられ、これによりフェーダ１８の動作音が低減する。
【００３９】
フェーダ１８の動作音を低減するためのもう一つの構成として、本実施の形態では、制御電圧Ｖ１、Ｖ２、Ｖ３、Ｖ４の設定が工夫されている。
【００４０】
図３は、制御電圧Ｖ１、Ｖ２、Ｖ３、Ｖ４の設定の例を示している。図示のように、制御電圧Ｖ１、Ｖ２、Ｖ３、Ｖ４は、電圧値が小さくなるに従って段差が小さくなるように設定されている。すなわち、制御電圧Ｖ１、Ｖ２、Ｖ３、Ｖ４の電圧間隔が不均等であり、小さい制御電圧同士の間隔が密になっている。図３の例では、制御電圧Ｖ１、Ｖ２、Ｖ３、Ｖ４は、例えば、０．８Ｖ、１．８Ｖ、３．３Ｖ、６Ｖである。
【００４１】
この点に関し、モータ駆動電圧が大きく、フェーダ１８の移動速度が大きいときは、フェーダ１８が連続的摺動音（フェーダ１８が走るときのシャーという音）を発している。フェーダ１８のパルス打撃音は摺動音にマスクされ、感覚的に気にならない。これに対して、フェーダ１８の移動速度が小さくなるに従い、連続的摺動音が小さくなり、パルス打撃音が目立ってくる。
【００４２】
本実施の形態では、図３に示されるように、電圧値が小さいときに制御電圧の段差が小さくなる。したがって、フェーダ１８のパルス打撃音が目立つ状況で、電圧変化幅を減らし、パルス打撃音を低減できる。このような効果的な動作音の低減を、電圧間隔を不均一にするだけの簡単な構成でもって実現できる。
【００４３】
なお、上記の図３の例では、制御電圧Ｖ１、Ｖ２、Ｖ３、Ｖ４が、０．８Ｖ、１．８Ｖ、３．３Ｖ、６Ｖであり、電圧間隔０．８、１、１．５、２．７というように次々と大きくなっている。しかし、本発明はこれに限定されない。電圧間隔は、複数の制御電圧の中で小さい電圧同士の間隔が、大きい電圧同士の間隔より大きければよい。
【００４４】
例えば、制御電圧Ｖ１、Ｖ２、Ｖ３、Ｖ４が、１Ｖ、２Ｖ、３Ｖ、５Ｖでもよい。この場合の電圧間隔を並べると、１、１、１、２となる。このように、隣合う間隔同士を比べたときに、電圧が大きい側の間隔に対して、電圧が小さい側の間隔が同じか、小さければよい。これにより、全体としては、電圧が小さくなるほど間隔が小さくなり、小さい電圧同士の電圧間隔が密になる。したがって、このような電圧設定も本発明の範囲に含まれる。
【００４５】
次に、フェーダ動作音低減のためのもう一つの構成について説明する。ここでは、まず、フェーダ制御の種類について説明する。フェーダ制御は大きく２種類に分けられる。一つは、予め記憶されている音量調整状態を瞬時に呼び出す制御である。この場合、複数のフェーダが、移動目標（目標位置）に向けて一斉に瞬間的に移動する。フェーダの連続的摺動音にマスクされ、パルス打撃音は気にならない。また、移動目標付近での収束動作も瞬間的に終わるので、パルス打撃音が目立ちにくい。
【００４６】
これに対して、もう一つのフェーダ制御は、時系列的位置制御であり、フェーダの移動目標が逐次更新される。この制御は、時系列的に音量を変化させながら最終の音量値へとフェーダをゆっくりと移動させる制御である。この制御は、例えば、予め記憶されているメモリデータに従ってシーケンシャルにフェーダの位置を制御する場合に行われる。また、例えば、一のフェーダが他のフェーダに連動するように設定されており、他のフェーダの手動操作に追従するようにフェーダ位置が制御されるとき、上記の制御が好適に行われる。
【００４７】
時系列的位置制御では、フェーダの移動目標が、ある時間間隔（目標更新周期、例えば、数ｍｓ〜百数十ｍｓ）ごとに更新され、逐次、新たな移動目標へ向けてフェーダが制御される。この場合、更新される移動目標は、現在位置の近傍である。したがって、フェーダ位置制御では、常に収束動作が繰り返すことになる。モータ出力の正転と逆転の繰り返しが続き、そのため、パルス打撃音が目立ってしまう。
【００４８】
図４は、上記の時系列的位置制御が行われるときのフェーダ制御を示している。ただし、図４では、後述する本実施の形態の動作音対策制御は行われていない。図４において、フェーダの移動目標は、目標更新周期Ｔｕ（例えば３０ｍｓ）ごとに更新される。目標更新周期Ｔｕの間にフェーダ現在位置が移動目標位置へ近づいている。時系列的位置制御の最中は、フェーダ位置はほぼ常時移動目標の近傍にあり、モータの出力が正転と逆転を繰り返しながら移動速度が調整され、移動目標への正確な収束が図られる。正転と逆転の切替が頻繁に行われると、加速度の不連続も激しくなる。したがって、パルス打撃音は、フェーダが目標移動位置に収束する間際で最も目立ちやすい。
【００４９】
上記のようなパルス打撃音を低減するために、時系列的位置制御状態では、下記の制御が行われる。
【００５０】
図５は、本実施の形態の制御を示している。図４と同じく、移動目標は、目標更新周期Ｔｕごとに更新される。本実施の形態では、その特徴として、反転抑制期間Ｔｓが設定されている。反転抑制期間Ｔｓは、目標更新周期Ｔｕ以上であり、本実施の形態では目標更新周期Ｔｕより長く設定されている。そして、各々の目標更新時点から反転抑制期間Ｔｓは、モータ駆動電圧の正逆切替を抑制する制御が行われる。
【００５１】
この制御は、図１のフェーダＣＰＵ１４によって行われる。フェーダＣＰＵ１４は、既に説明したように、フェーダ位置のフィードバック制御を行っている。フィードバック演算では、電圧の演算結果が反転することがある。すなわち、目標値が与えられて始めに動き出した方向に対して逆転する電圧が算出されることがある。このとき、フェーダＣＰＵ１４は、通常であれば、モータドライバ２２に、反転のための制御信号を送る。例えば、正転から逆転へと制御信号が変更される。しかしながら、反転抑制期間Ｔｓでは、フェーダＣＰＵ１４は、反転のための制御信号の代わりに、慣性運転を指示する制御信号をモータドライバ２２に送る。これにより、反転の演算結果は無視されることになる。すなわち、図５に示すように、モータ制御パルス電圧は、正転から逆転に切り替わる代わりに、０になっている。
【００５２】
このようにして、本実施の形態では、時系列的位置制御が行われて、フェーダの移動目標が逐次更新されている間は、電圧反転が殆ど発生しなくなり、これによりパルス打撃音を低減することができる。
【００５３】
ただし、上記の制御を行うと、フェーダ移動中の位置精度は低下する。しかし、フェーダ移動中の位置精度が多少低くても、それによる悪影響は殆どない。しかも、最終的な位置精度は下記のように確保されている。
【００５４】
すなわち、図５の右側部分に示されるように、時系列位置制御の終わりでは、移動目標の更新が終わる。このとき、移動目標が最終の目標位置と一致し、目標更新周期が過ぎても移動目標が更新されない。移動目標が更新されないので、反転抑制期間Ｔｓが新たにスタートすることもない。そして、目標更新周期が過ぎたあと、反転抑制期間Ｔｓも経過することになる。反転抑制期間Ｔｓが経過すると、駆動電圧の反転が許容される。これにより、移動目標へのフィードバック制御が行われて、モータへの出力電圧の正逆切替も行われて、最終的な移動目標へとフェーダが移動する。このように、本実施の形態の反転抑制制御を行っても、最終的な停止位置の精度は低下しない。
【００５５】
以上のようにして、本実施の形態によれば、反転抑制期間Ｔｓを設けて、モータ２０への出力電圧の正逆切替を抑制することで、時系列位置制御におけるパルス打撃音を効果的に低減できる。しかも、上述したように、最終的な位置精度を確保できる。そして、このような効果を、反転抑制期間Ｔｓを設けて、モータドライバ２２への制御信号を変更するという簡単な構成でもって実現できている。
【００５６】
なお、本実施の形態では、モータ制御パルス電圧が複数の場合の例にて説明を行っているが、モータ制御パルス電圧が１つでも上述の効果は得られる。
【００５７】
次に、フェーダ動作音を低減するためのもう一つの構成について説明する。本実施の形態では、フェーダＣＰＵ１４が、フェーダ位置のフィードバック制御においてモータ駆動電圧の演算結果が反転するときに、所定回数分の制御周期の間は反転電圧の出力を抑制するように構成されている。ここで、所定回数は１回である。反転抑制制御は、フェーダＣＰＵ１４により行われる。フェーダＣＰＵ１４は、モータドライバ２２へ慣性回転の制御信号を送ることで、電圧反転を抑制する。このような制御により、フィードバック演算結果の１制御周期のみの反転が無視されることになり、その結果、下記に説明するように、フェーダ移動音が効果的に低減する。
【００５８】
図６を参照すると、フェーダ位置のフィードバック制御では、モータ駆動電圧とそれに応じたモータ加速度が周期的に変化する。移動目標付近では、上述したように、駆動電圧が正転と逆転を繰り返し、これにより移動速度が調整され、移動目標へフェーダ位置が収束する。このフィードバック制御演算の結果に着目すると、図６に示されるように、１制御周期だけ逆方向のモータ制御電圧が発生することが多い。この１制御周期の反転は、位置精度への寄与は小さいと考えられる。その反面、１制御周期の反転が、加速度の不連続を生じさせ、パルス打撃音へ大きく影響する。
【００５９】
上記の現象に着目して、本実施の形態は、電圧反転の際の１回目のパルス電圧を０にすることで、１制御周期だけの電圧反転を除去している。これにより、位置精度に悪影響を与えない範囲で、かなりの回数の電圧反転が無くなり、電圧反転に伴う加速度の不連続を除去できる。したがって、位置精度を確保しつつ、パルス打撃音を効果的に低減できる。
【００６０】
さらに、上記の制御は、電圧反転が１制御周期以上続くときにも好適に作用する。すなわち、本実施の形態によれば、電圧反転の際に、最初のパルスの出力が抑制される。したがって、駆動電圧は、例えば、正転、０、逆転というように段階的に変化し、駆動電圧の不連続を緩和でき、この点でも、パルス打撃音が低減する。
【００６１】
このように、本実施の形態のフェーダ装置１０によれば、フィードバック演算結果の電圧が反転するときに、所定回数分の制御周期の反転電圧の出力を抑制することで、フェーダ動作音を効果的に低減できる。そして、フェーダ動作音の低減を、所定回数分の制御周期の電圧抑制という簡単な構成でもって実現できる。
【００６２】
以上に説明したように、本実施の形態のフェーダ装置１０によれば、スイッチ回路２６を採用したことで回路構成を簡素化でき、かつ、スイッチ回路２６を使うときのフェーダ動作音も効果的に低減できる。
【００６３】
なお、本実施の形態においても、モータ制御パルス電圧が複数でも１つでも上述の効果は得られる。
【００６４】
そして、本実施の形態では、複数種類のフェーダ動作音低減技術を提案したが、それらのすべての構成が一つのフェーダ装置で採用されてもよく、一部の構成が採用されてもよい。
【００６５】
その他、本発明は上述の実施の形態に限定されず、当業者が本発明の範囲内で上述の実施の形態を変形可能なことはもちろんである。例えば、本発明は、音楽用のミキサとしてのフェーダ装置に限定されない。本発明は、例えば、照明用のフェーダ装置に適用されてもよい。
【産業上の利用可能性】
【００６６】
以上のように、本発明にかかるフェーダ装置は、回路構成を簡素化できるという効果を有し、音楽ミキサ等として有用である。
【図面の簡単な説明】
【００６７】
【図１】本発明の実施の形態におけるフェーダ装置の構成を示す図
【図２】積分回路の構成を示す図
【図３】制御電圧の設定を示す図
【図４】時系列的位置制御状態でのフェーダ位置およびモータ制御パルス電圧の変化を示す図
【図５】時系列的位置制御状態でのフェーダ位置およびモータ制御パルス電圧の変化を示す図
【図６】フィードバック制御でのフェーダ位置およびモータ制御パルス電圧の変化を示す図
【符号の説明】
【００６８】
１０  フェーダ装置
１２  マスタＣＰＵ
１４  フェーダＣＰＵ
１６  フェーダ制御ブロック
１８  フェーダ
２０  モータ
２２  モータドライバ
２４  積分回路
２６  スイッチ回路
３０  ＡＤコンバータ
【図１】
2005278046.tif 000003
【図２】
2005278046.tif 000004
【図３】
2005278046.tif 000005
【図４】
2005278046.tif 000006
【図５】
2005278046.tif 000007
【図６】
2005278046.tif 000008